(57)【要約】【課題】段差のない地上直接にゴミを投入し上昇させるために，投入箱及び螺旋軸を傾斜し移送する無段差スクリュー投入機を提供する。【解決手段】（１）前面の対向に傾斜した螺旋軸（上昇角α）の側方に投入室を設け，（２）投入室の前面板に投入口を設け，投入口下端部に地上高さ１ｍ以下を設け，（３）前面板の投入口下端部の下方に後方へ傾斜する落下板（落下角δ）を設け，（４）投入口下端部より下方に側方導入板を設け，螺旋羽根の下部に位置し，かつ螺旋軸と平行し側方へ傾斜する側方導入板（側方角β）を設けるようにしたことを特徴とする。【選択図】    図３
2004352491.tif 000002
【特許請求の範囲】
【請求項１】
前面板（１）の対向に前部より後部へ傾斜する上昇角α（２）を持つ螺旋軸（３）の側方に投入室（４）を設け，投入室（４）の前面板（１）又は上側面板（５）に投入口（６）を設け，投入口下端部（７）に地上投入口高さ（約１ｍ以下）（８）を設け，前面板（１）の投入口下端部（７）の下方で，かつ後方へ傾斜する落下角δ（９）を持つ落下板（１０）を設け，  投入口下端部（７）の上側面板（５）の下に側方導入板（１１）を設け，側方導入板（１１）より傾けながら，螺旋羽根（１２）の下部に位置し，かつ螺旋軸（３）と平行し側方へ傾斜する側方角β（１３）を持つ側方導入板（１１）を設けるように特徴とした無段差スクリュー投入機。
【発明の詳細な説明】
【０００１】
【発明の属する技術分野】
地上に直接投入できるスクリューを利用したゴミ投入機に関するものである。
【０００２】
【従来の技術】
従来のスクリュー型ゴミ貯留機は，貯留槽の前部にスクリュー投入機を併設し，スクリュー投入機の下部に螺旋軸を横置きにし，その上部に投入口を設けた方式である。ゴミ袋を投入するには，投入口の高さが少なくとも約２０００ｍｍ以上設定される。投入口の高さは普通人で約９００ｍｍ程度になるので，ステップ又は階段によって段差が約１１００ｍｍ程度になっている。
【０００３】
【発明が解決しようとする課題】
最近になって，身体障害者への配慮の観点から，住宅建設の必須条件として，バリアフリー（搬送路面の段差の排除）の考え方が義務付けられるようになった。
住宅からでるゴミの投入に際して，身体障害者が車椅子から直接投入できるように設備を要求するようになった。
住宅などで人力で投入される場合，ゴミ袋の容量は約４０リットルや重量約２０キログラム等もかなり大きさをもっている。バリアフリーの機能性として，大きさや重さや凹凸や危険性などは重要である。とくに無段差（ノンステップ）は重要になっており，高い作業への便益が必要になっている。
したがって，従来のスクリュー型ゴミ貯留機に付設しているスクリュー投入機を差し換えれば，無段差ができるスクリュー投入機を課題にすることができる。
すなわち，段差のない地上直接にゴミを投入し上昇させるように，投入箱及び螺旋軸を傾斜し移送する無段差スクリュー投入機を課題とした。
その課題についての条件をつぎに示した。
（ａ）段差を排除にするために，平滑な地上面に立った普通人は，ゴミを投入できる投入口の地上投入口高さ約１ｍ以下として常識的としている。
（ｂ）螺旋軸の傾斜の高さや螺旋羽根の直径を加えれば，地上投入口高さ約１ｍ以下と同じ大きさになる。したがって，約４００ｍｍの大きさのゴミ袋を螺旋羽根の外面の上に落下することは難しい。
（ｃ）したがって，螺旋軸の側方に投入箱を設け，投入箱に投入口を設け，さらに投入箱より螺旋羽根へゴミを移送する手段ができる。
【０００４】
【課題を解決するための手段】
（１）前面板の対向に，前部より後部へ傾斜する上昇角αを持つ螺旋軸を設ける。螺旋軸の側方に投入室を設ける。
（２）投入室の前面板（又は上側面板）に投入口を設け，投入口の下に投入口下端部を設定にし地上高さ（約１ｍ以下）を設ける。
（３）前面板の投入口下端部の下方で，かつ後方へ傾斜する落下角δ（約４５°以上）を持つ落下板を設ける。
（４）投入口下端部の上側面板の下に，側方導入板を設ける。側方導入板より傾けながら螺旋羽根の下部に位置する。かつ螺旋軸と平行し側方へ傾斜する側方角β（約４５°以上）を持つ側方導入板を設けるようにしたことを特徴とする。
【０００５】
【発明の実施の形態】
本発明の実施形態について，第一の実施例として前面板への投入口，及び第二の実施例として側面板の投入口について説明する。
第一の実施例について，図１に前面図，図２に右側面図（Ａ−Ａ断面矢視），図３に右側面図（Ｂ−Ｂ断面矢視），図４に左側面図，によって構造を説明する。
前面板（１）の対向に，前部より後部へ傾斜する上昇角α（２）をもつ螺旋軸（３）を設ける。螺旋軸（３）の側方に，空間の投入室（４）を設ける。
投入室（４）の前方に上部で垂直にした前面板（１）を設け，前面板（１）の右側に投入口（６）を設ける。投入口（６）の投入口下端部（７）に地上投入口高さ（約１ｍ以下）（８）を設ける。投入口（６）にヒンジ（１４）及び投入口蓋（１５）を設けで閉鎖できるようにする。
前面板（１）の投入口下端部（７）の下部で，かつ後方へ傾斜する落下角δ（９）を持つ落下板（１０）を設ける。
投入口下端部（７）の上側面板（５）の下に側方導入板（１１）を設ける。側方導入板（１１）より傾けながら，螺旋羽根（１２）の下部に位置する。かつ螺旋軸（３）と平行し側方へ傾斜する側方角β（１３）を持つ側方導入板（１１）を設ける。スクリュー投入機の投入箱（１６）の後方に螺旋箱（１７）及びフランジ（１８）を取り付け，投入箱（１６）の下部に支柱（１９）及び架台（２０）を設ける。
投入箱（１６）の横断面は，上板（２１），左側板（２２），隅板（２３），下板（２４），それに側方導入板（１１），上側面板（５）を囲う。投入箱（１６）の前面に前面板（１），落下板（１０）を設け，投入箱（１６）の後面に後面板（２５）を設ける。螺旋箱（１７）の横断面は，小上板（２６），左板（２７），隅板（２３），下板（２４），隅板（２３），右板（２８）を囲う。
螺旋軸（３）の上に螺旋羽根（１２）を取付け，螺旋箱（１７）とフランジ（１８）の内部に，螺旋羽根（１２）の外面が接する。
螺旋軸（３）の後部を自由端にし，螺旋軸（３）の前部に軸受（２９）と軸受箱（３０）を嵌合し，軸受箱（３０）を落下板（１０）に突き出して設ける。
螺旋軸（３）を軸受箱（３０）の内部に貫通し，螺旋軸（３）を片持ちして支持し，螺旋軸（３）の外部に突出した大スプロケット（３１）を設ける。
投入箱（１６）の左側板（２２）にモーター（３２）を取付け，モーター（３２）の小スプロケット（３３）にチェーン（３４）を介して，大スプロケット（３１）を設ける。
【０００６】
以上の構造について，これを使用するときは次のようにする。
スクリュー投入機の後部にフランジ（１８）を設け，貯留槽の前部に併せて設置する。したがって，投入口（６）に投入口蓋（１５）を閉鎖すれば，スクリュー投入機は密閉になる。
投入口蓋（１５）を開き，投入口（６）にゴミを投入し，投入口下端部（７）より落下板（１０）に落下する。落下板（１０）は落下角δ（９）の傾斜４５°以上の大きさになるので，ゴミを後方へ落すことができる。
したがって，螺旋軸（３）の始端の螺旋羽根（１２）より後方へ，ゴミを十分に移送することができる。
また，投入口下端部（７）より落下したゴミを，側方導入板（１１）の上より傾けながら，螺旋羽根（１２）の下部へ転がして収集することができる。側方へ傾斜する側方角β（１３）は傾斜４５°以上の大きさになるので，ゴミを側方導入板（１１）の傾いた広い面上に移送することができる。
モーター（３２）に小スプロケット（３３）を回転させ，チェーン（３４）を介して大スプロケット（３１）を回転させる。
左巻きの螺旋羽根（１２）を，前面より見て右回転させる。螺旋羽根（１２）の外面の下部にゴミを掻き入れ，かつ，螺旋軸（３）と平行してゴミを後方へ押しだし移送する。
さらに螺旋箱（１７）の内部にゴミを後方へ移送し，フランジ（１８）の内部より貯留槽の中にゴミを排出する。
また，第一の実施例に対して，螺旋軸（３）の左方に投入室（４）を反対にする場合にあっても相称の構造になる。
【０００７】
さらに第二の実施例について，図５に右側面図によって投入口の位置の応用例を説明する。投入室（４）の側面板（５）に投入口（６）を設ける。
投入室（４）の右側方の上部で垂直にした上側面板（５）に，投入口（６）を前方へ向って設ける。投入口（６）の投入口下端部（７）に地上投入口高さ（約１ｍ以下）（８）を設け，投入口（６）にヒンジ（１４）及び投入口蓋（１５）を閉鎖する。投入口下端部（７）の上側面板（５）の下に側方導入板（１１）を設け，側方導入板（１１）より傾けながら，螺旋羽根（１２）の下部に位置する。
前面板（１）の投入口下端部（７）の下方で，かつ後方へ傾斜する落下角δ（９）を持つ落下板（１０）を設ける。
すなわち，投入室（４）の上側面板（５）に投入口（６）を設けるだけで，他は第一の実施例と同じ構造になる。
また，第二の実施例に対して，螺旋軸（３）の左方に投入室（４）を反対にする場合にあっても相称の構造になる。
【０００８】
【発明の効果】
住宅建設の必須条件としてバリアフリー（搬送路面の段差の排除）の考え方が義務付けられ，無段差スクリュー投入機に対する便益や利益の効果は大きい。
たとえば，地上投入口高さが低いので直接に投入できる無段差の便益は大きい。また重量の作業による負担は無段差により楽になっている。さらに安全性や危険性について無段差による便益が大きい。
無段差スクリュー投入機で利益が最も大きいのは，原価の利益が大きいことである。たとえば，従来のスクリュー投入機の段差付き階段などの架設費を比較すれば，無段差スクリュー投入機の原価では架設費はゼロにすることができる。
また，無段差スクリュー投入機の構造の大きさは小さくなっているので，従来のスクリュー投入機よりも機械装置費は小さくなっている。
すなわち，本発明については，非常に利益的な効果が大きく，さらに単なる便益ばかりではなく，サービスに対する社会性への貢献が大きくなっている。
このように本発明の特徴は，バリアフリーの問題として，健常者や障害者に隔てなく生活にできる大きな便益をもたらすことができる。すなわち，産業と経済の発展ばかりでなく，社会面としてのノーマルライゼーション（健常者，障害者が隔てなく生活できる社会）という道徳性上の大きい問題を貢献するものである。
【図面の簡単な説明】
【図  １】本発明の第一の実施例について，前面図を示す。
【図  ２】本発明の第一の実施例について，右側面図（Ａ−Ａ断面矢視）を示す。
【図  ３】本発明の第一の実施例について，右側面図（Ｂ−Ｂ断面矢視）を示す。
【図  ４】本発明の第一の実施例について，左側面図を示す。
【図  ５】本発明の第二の実施例について，右側面図を示す。
【符号の説明】
１      前面板
２      上昇角α
３      螺旋軸
４      投入室
５      側面板
６      投入口
７      投入口下端部
８      地上投入口高さ
９      落下角δ
１０      落下板
１１      側方導入板
１２      螺旋羽根
１３      側方角β
【図１】
2004352491.tif 000003
【図２】
2004352491.tif 000004
【図３】
2004352491.tif 000005
【図４】
2004352491.tif 000006
【図５】
2004352491.tif 000007